(57)【要約】【課題】ホットスポット及び暗部現象を改善できるバックライトユニット及びこれを用いたディスプレイ装置を提供すること。【解決手段】本発明の実施例は、バックライトユニット及びこれを用いたディスプレイ装置に関するもので、該バックライトユニットは、それぞれが少なくとも１つの光源を有する複数の光源グループと、複数の光源グループから照射される光を導く導光板とを備え、導光板は、第１方向に形成され、複数の光源グループが配置された第１溝と、第１方向と異なる第２方向に形成された少なくとも１つの第２溝とを有する。【選択図】図３
2013033709.tif 000002
【特許請求の範囲】
【請求項１】
それぞれが少なくとも１つの光源を含む複数の光源グループと、
前記複数の光源グループから照射される光を導く導光板と
を備え、
前記導光板は、
第１方向に形成され、前記複数の光源グループが配置された第１溝と、
前記第１方向と異なる第２方向に形成された少なくとも１つの第２溝と
を有する、バックライトユニット。
【請求項２】
前記少なくとも１つの光源は複数個であり、前記複数個の光源グループのそれぞれにおいて、前記第２溝は、前記複数個の光源の間の領域と前記第２方向に重なる部分に形成されている、請求項１に記載のバックライトユニット。
【請求項３】
前記第２溝は、前記複数の光源グループの間の領域と前記第２方向に重なる部分に形成されている、請求項１又は２に記載のバックライトユニット。
【請求項４】
前記複数の光源グループのそれぞれは、
回路基板と、
前記回路基板上に形成された複数の光源と
を備える、請求項１乃至３のいずれかに記載のバックライトユニット。
【請求項５】
前記第２溝は、隣接する複数の光源グループのそれぞれの側端部に配置されている光源の間の領域と前記第２方向に重なる部分に形成されている、請求項１乃至４のいずれかに記載のバックライトユニット。
【請求項６】
前記第２溝は、隣接する複数の光源グループに含まれた回路基板の間の領域と前記第２方向に重なる部分に形成されている、請求項１乃至５のいずれかに記載のバックライトユニット。
【請求項７】
前記複数の光源グループは、
回路基板と、
前記回路基板上でローカルディミング単位別に区別される複数の光源と
を備える、請求項１乃至３のいずれかに記載のバックライトユニット。
【請求項８】
前記第２溝は、隣接する前記ローカルディミング単位のそれぞれの側端部に配置されている光源の間の領域と前記第２方向に重なる部分に形成されている、請求項１乃至３または７のいずれかに記載のバックライトユニット。
【請求項９】
前記複数の光源グループは、
複数のサブ回路基板と、
前記複数のサブ回路基板のそれぞれの上部に形成された複数の光源と
を備え、
前記複数のサブ回路基板は、メイン回路基板上に形成されている、請求項１乃至３のいずれかに記載のバックライトユニット。
【請求項１０】
前記第２溝は、隣接するサブ回路基板のそれぞれの側端部に配置される光源の間の領域と前記第２方向に重なる部分に形成されている、請求項１乃至３または９のいずれかに記載のバックライトユニット。
【請求項１１】
前記第２溝は、隣接するサブ回路基板の間の領域と前記第２方向に重なる部分に形成されている、請求項１乃至３または９乃至１０のいずれかに記載のバックライトユニット。
【請求項１２】
前記第２溝の幅対深さの比は３：１乃至２：１である、請求項１乃至３のいずれかに記載のバックライトユニット。
【請求項１３】
前記第２溝の幅は、５．３７５ｍｍ以下である、請求項１乃至３または１２のいずれかに記載のバックライトユニット。
【請求項１４】
前記第２溝の断面形状は、円形、楕円形または多角形である、請求項１乃至３または１２乃至１３のいずれかに記載のバックライトユニット。
【請求項１５】
前記第２溝の断面形状は円形であり、前記第２溝は、前記複数の光源グループから照射される光が前記第２方向に屈折するのに適した半径を有する、請求項１乃至３または１２乃至１４のいずれかに記載のバックライトユニット。
【請求項１６】
前記第２溝の断面形状は三角形であり、前記第２溝の中心角は３０゜以下である、請求項１乃至３または１２乃至１５のいずれかに記載のバックライトユニット。
【請求項１７】
前記第２溝は、変曲点を中心に互いに隣接する第１及び第２傾斜面を有する、請求項１乃至３または１２乃至１６のいずれかに記載のバックライトユニット。
【請求項１８】
前記第１傾斜面と前記第２傾斜面は、前記第２溝の内側に凹んで形成されている、請求項１７に記載のバックライトユニット。
【請求項１９】
前記第１傾斜面と前記第２傾斜面は、前記第２溝の内側に膨らんで形成されている、請求項１７に記載のバックライトユニット。
【請求項２０】
前記第１傾斜面と前記第２傾斜面は、前記複数の光源グループから照射される光が前記第２方向に屈折するのに適した曲率をそれぞれ有する、請求項１７に記載のバックライトユニット。
【請求項２１】
前記第１溝は、前記導光板の下部面に形成され、前記第２方向は、前記第１方向に垂直である、請求項１に記載のバックライトユニット。
【請求項２２】
前記導光板の前面に配置された光学部材をさらに備え、
前記第２方向は、前記光学部材に向かう方向と垂直である、請求項１または２１に記載のバックライトユニット。
【請求項２３】
前記導光板の下部に配置されたボトムカバーと、
前記光源グループを固定させ、前記ボトムカバーに付着されたブラケットと
をさらに備える、請求項１に記載のバックライトユニット。
【請求項２４】
ディスプレイパネルと、
前記ディスプレイパネルに光を照射するバックライトユニットと
を備え、
前記バックライトユニットは、請求項１乃至２３のいずれかに記載のバックライトユニットである、ディスプレイ装置。
【発明の詳細な説明】
【技術分野】
【０００１】
本発明の実施例は、バックライトユニット及びこれを用いたディスプレイ装置に関するものである。
【背景技術】
【０００２】
近年、ディスプレイ装置として、ＬＣＤ（Ｌｉｑｕｉｄ  Ｃｒｙｓｔａｌ  Ｄｉｓｐｌａｙ）またはＰＤＰ（Ｐｌａｓｍａ  Ｄｉｓｐｌａｙ  Ｐａｎｅｌ）などが用いられている。ところで、自発光型のＰＤＰとは違い、ＬＣＤは、自体発光する発光素子を備えておらず、別のバックライトユニットが必須である。
【０００３】
一方、ＬＣＤに用いられるバックライトユニットの光源には、ＣＣＦＬ（Ｃｏｌｄ  Ｃａｔｈｏｄｅ  Ｆｌｕｏｒｅｓｃｅｎｔ  Ｌａｍｐ）が広く用いられきた。しかし、ＣＣＦＬを用いたバックライトユニットは、ＣＣＦＬに常に電源が印加されるから相当量の電力を消耗し、ＣＲＴに比べて約７０％レベルの色再現率を示し、水銀の添加による環境汚染の問題を招くことがあった。
【０００４】
これを解消するための代替品として、現在、ＬＥＤ（Ｌｉｇｈｔ  Ｅｍｉｔｔｉｎｇ  ｄｉｏｄｅ）を用いたバックライトユニットに関する研究が活発に行われている。
【０００５】
ＬＥＤをバックライトユニットに用いる場合、ＬＥＤアレイの部分的なオン／オフが可能なため、消耗電力を画期的に低減できる。なお、ＲＧＢ  ＬＥＤの場合、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より鮮明な画質を消費者に提供することができる。
【０００６】
しかしながら、従来技術のバックライトユニットは、光を均一に導くことができず、ホットスポット及び暗部が発生するという問題点があった。
【発明の概要】
【発明が解決しようとする課題】
【０００７】
本発明の実施例は、ホットスポット及び暗部現象を改善できるバックライトユニット及びこれを用いたディスプレイ装置を提供する。
【課題を解決するための手段】
【０００８】
本発明の一実施例に係るバックライトユニットは、それぞれが少なくとも１つの光源を有する複数の光源グループと、前記複数の光源グループから照射される光を導く導光板とを備え、前記導光板は、第１方向に形成され、前記複数の光源グループが配置された第１溝と、前記第１方向と異なる第２方向に形成された少なくとも１つの第２溝とを備える。
【０００９】
前記第１溝は、前記導光板の下部面に形成され、前記第２方向は、前記第１方向に垂直であればよい。また、バックライトユニットは、前記導光板の前面に配置された光学部材をさらに備え、前記第２方向は、前記光学部材に向かう方向と垂直でよい。
【００１０】
また、前記少なくとも１つの光源は複数個であり、前記複数個の光源グループのそれぞれにおいて、前記第２溝は、前記複数個の光源の間の領域と前記第２方向に重なる部分に形成されるとよい。
【００１１】
また、前記第２溝は、前記複数の光源グループの間の領域と前記第２方向に重なる部分に形成されてもよい。
【００１２】
前記複数の光源グループのそれぞれは、回路基板と、前記回路基板上に形成された複数の光源とを備える。また、前記第２溝は、隣接する複数の光源グループのそれぞれの側端部に配置されている光源の間の領域と前記第２方向に重なる部分に形成されている。また、前記第２溝は、隣接する複数の光源グループに含まれた回路基板の間の領域と前記第２方向に重なる部分に形成されてもよい。
【００１３】
また、前記複数の光源グループは、回路基板と、前記回路基板上でローカルディミング（ｌｏｃａｌ  ｄｉｍｍｉｎｇ）単位別に区別された複数の光源とを備えることができる。
【００１４】
前記第２溝は、隣接する前記ローカルディミング単位のそれぞれの側端部に配置されている光源の間の領域と前記第２方向に重なる部分に形成されるとよい。
【００１５】
また、前記複数の光源グループは、複数のサブ回路基板と、前記複数のサブ回路基板のそれぞれの上部に形成された複数の光源とを備え、前記複数のサブ回路基板は、メイン回路基板上に形成されるとよい。前記第２溝は、隣接するサブ回路基板のそれぞれの側端部に配置される光源の間の領域と前記第２方向に重なる部分に形成されてもよく、隣接するサブ回路基板の間の領域と前記第２方向に重なる部分に形成されてもよい。
【００１６】
また、バックライトユニットは、前記導光板の下部に配置されるボトムカバーと、前記光源グループを固定させ、前記ボトムカバーに付着されるブラケットとをさらに備えることができる。
【００１７】
前記第２溝の幅対深さの比は３：１乃至２：１でよく、前記第２溝の幅は、５．３７５ｍｍ以下でよく、前記第２溝の断面形状は、円形、楕円形または多角形でよい。
【００１８】
前記第２溝の断面形状は円形であり、前記第２溝は、前記複数の光源グループから照射される光が前記第２方向に屈折するのに適した半径を有するとよい。
【００１９】
前記第２溝の断面形状は三角形であり、前記第２溝の中心角は３０゜以下であってもよい。
【００２０】
前記第２溝は、変曲点を中心に互いに隣接する第１及び第２傾斜面を有することができる。前記第１傾斜面と前記第２傾斜面は、前記第２溝の内側に凹んだり膨らむように形成できる。また、前記第１傾斜面と前記第２傾斜面は、前記複数の光源グループから照射される光が前記第２方向に屈折するのに適した曲率をそれぞれ有することができる。
【発明の効果】
【００２１】
本発明の一実施例に係るバックライト及び表示装置は、ホットスポット及び暗部が発生する現象を防止でき、特に、区別した領域別に発光素子の駆動が制御されるローカルディミング時にバックライトユニットで発生するホットスポット及び暗部を防止することができる。
【図面の簡単な説明】
【００２２】
下記の図面を参照して実施例について詳細に説明する。ただし、図面中、同一の構成要素には同一の参照符号を付する。
【図１】本発明の一実施例に係るバックライトユニット全体の概略平面図である。
【図２】図１に示すＡ−Ａ’線に沿うバックライトユニットの断面図である。
【図３】図２に示すＢ−Ｂ’線に沿って切断した後、Ｃから視た部分平面図である。
【図４】図３に示す２個の隣接する光源グループを拡大した断面図である。
【図５】他の実施例に係るバックライトユニットの、図２に示すＣから視た部分平面図である。
【図６】さらに他の実施例に係るバックライトユニットの、図２に示すＣから視た部分平面図である。
【図７】さらに他の実施例に係るバックライトユニットの、図２に示すＣから視た部分平面図である。
【図８】さらに他の実施例に係るバックライトユニットの、図２に示すＣから視た部分平面図である。
【図９】本発明の一実施例に係る第２溝の種々の断面を示す図である。
【図１０】本発明の一実施例に係る図２に示すバックライトユニットの全体平面図である。
【図１１】本発明の一実施例に係るディスプレイ装置を示す図である。
【発明を実施するための形態】
【００２３】
以下、本発明の実施例を、添付の図面を参照して説明する。
【００２４】
本発明の実施例の説明において、ある構成要素（ｅｌｅｍｅｎｔ）の「上（上部）」または「下（下部）」（ｏｎ  ｏｒ  ｕｎｄｅｒ）に他の構成要素が形成されるという記載は、これらの両構成要素が相互直接（ｄｉｒｅｃｔｌｙ）接触して形成される場合も、これら両構成要素の間に一つ以上のさらに他の構成要素が介在して（ｉｎｄｉｒｅｃｔｌｙ）形成される場合も含むことができる。また「上（上部）」または「下（下部）」（ｏｎ  ｏｒ  ｕｎｄｅｒ）と表現される場合、一つの構成要素を基準に上方を指す場合もあり、下方を指す場合もある。
【００２５】
図面において、各構成要素の厚さや大きさは、説明の便宜及び明確性のために、誇張、省略または概略して示したもので、実際の大きさを全的に反映するものではない。
【００２６】
図１は、本発明の一実施例に係るバックライトユニット全体を示す概略平面図であり、図２は、図１に示すＡ−Ａ’線を沿うバックライトユニットの断面図であり、図３は、図２に示すＢ−Ｂ’線に沿って切断した後、Ｃから視た部分平面図である。
【００２７】
図３で、第１方向（ｚ）に沿う複数の光源グループ２１０を区別するために、光源グループ２１０を、２４２、２４４及び２４６の参照符号を付して示す。
【００２８】
図１乃至図３を参照すると、バックライトユニットは、ボトムカバー（または、ボトムシャーシ（ｂｏｔｔｏｍ  ｃｈａｓｓｉｓ））１００、複数の光源グループ（または、光源モジュール）２１０、ブラケット（ｂｒａｃｋｅｔ）２２０、リフレクタ３００、導光板４００、光学部材５００及びパネルガイド６００を備えることができる。
【００２９】
ボトムカバー１００は、光源グループ２１０、ブラケット２２０、リフレクタ３００、導光板４００及び光学部材５００を収納する。例えば、ボトムカバー１００は、アルミニウム、亜鉛、銅、鉄、ステンレススチール及びこれらの合金などのような金属からなることができる。すなわち、リフレクタ３００、導光板４００及び光学部材５００は、ボトムカバー１００により支持される。
【００３０】
光源グループ２１０は、導光板４００の入光面４０２に相対して配置される。光源グループ２１０は、回路基板２１４、及び回路基板２１４上に配置された少なくとも１つの光源２１２を備えることができる。回路基板２１４及び光源２１２はいずれも、導光板４００における第１溝２５０の内部に配置できる。
【００３１】
複数の光源２１２は、回路基板２１４上に相互離隔して実装されればよく、導光板４００の入光面４０２に光を照射する。例えば、光源２１２は、導光板４００の入光面４０２と接してもよいが、光源２１２は入光面４０２から所定距離だけ離れてもよく、本実施例はこれに限定されない。
【００３２】
ここで、回路基板２１４に実装された複数の光源２１２は、回路基板２１４上に並んで配されればよく、複数の列で並んで配されてもよい。
【００３３】
そして、複数の光源２１２のそれぞれは発光素子を含み、例えば、発光ダイオードまたは発光ダイオードパッケージを含むことができる。光源２１２は、側面発光型（ｓｉｄｅ  ｖｉｅｗ  ｔｙｐｅ）発光ダイオードでよい。場合によって、光源２１２は上面発光型（ｔｏｐ  ｖｉｅｗ  ｔｙｐｅ）発光ダイオードであってもよい。このように、光源２１２は、発光ダイオードチップ（ＬＥＤ  ｃｈｉｐ）であればよく、発光ダイオードチップは、ブルーＬＥＤチップまたは紫外線ＬＥＤチップで構成されてもよく、レッドＬＥＤチップ、グリーンＬＥＤチップ、ブルーＬＥＤチップ、イエローグリーン（Ｙｅｌｌｏｗ  ｇｒｅｅｎ）ＬＥＤチップ、ホワイトＬＥＤチップのうち少なくとも１つまたは２以上を組み合わせたパッケージ形態にしてもよい。
【００３４】
ここで、ホワイトＬＥＤは、ブルーＬＥＤ上にイエロー燐光物質を結合したり、ブルーＬＥＤ上にレッド燐光物質とグリーン燐光物質を同時に結合して具現してもよく、ブルーＬＥＤ上にイエロー燐光物質、レッド燐光物質及びグリーン燐光物質を同時に結合して具現してもよい。
【００３５】
回路基板２１４は、光源２１２の電気的連結のための電極パターンが形成されればよく、ポリエチレンテレフタレート（ＰＥＴ）、ガラス、ポリカーボネート（ＰＣ）、シリコン（Ｓｉ）から選ばれるいずれか一物質からなるＰＣＢ（Ｐｒｉｎｔｅｄ  Ｃｉｒｃｕｉｔ  Ｂｏａｒｄ）であってもよく、フィルム形態にしてもよい。
【００３６】
また、回路基板２１４には、単層ＰＣＢ、多層ＰＣＢ、セラミック基板、メタルコアＰＣＢなどを選択的に用いることができる。
【００３７】
ここで、回路基板２１４は、印刷回路基板でよく、ブラケット２２０に付着される。
【００３８】
ブラケット２２０は、第１溝２５０の内部でボトムカバー１００に付着されて光源２１２及び回路基板２１４を支持する。このブラケット２２０上に導光板４００を配置できる。また、ブラケット２２０は、光源グループ２１０から発生する熱を放出できる。
【００３９】
図２に示す実施例では、液晶表示パネル７００の下部に光源グループ２１０が配置されて、パネルの前面を照明する方式である直下型のバックライトユニットを取り上げたが、本実施例はこれに限定されるものではない。
【００４０】
一方、リフレクタ３００は、導光板４００の後面に出射する光を反射させて、導光板４００に再入射させる。このために、リフレクタ３００は、ボトムカバー１００の前面に密着すればよい。すなわち、リフレクタ３００は、ボトムカバー１００と導光板４００との間に配置され、導光板４００の下部面から側面まで延びて形成されればよい。
【００４１】
図２で、リフレクタ３００は、導光板４００における第１溝２５０の側面及び底面の少なくとも一方に形成されてもよい。
【００４２】
ここで、リフレクタ３００は、金属及び金属酸化物の少なくとも１つを含むことができ、例えば、アルミニウム（Ａｌ）、銀（Ａｇ）、金（Ａｕ）または二酸化チタン（ＴｉＯ２）のように高い反射率を持つ金属または金属酸化物を含んで構成すればよい。
【００４３】
一方、光学部材５００は、導光板４００の上部面に配置されて、通過する光の特性を向上させる。すなわち、導光板４００の前面に密着した光学部材５００は、導光板４００から出射する光を拡散させる役割を果たす。拡散効果を増大させるために、光学部材５００は、その上部表面に凹凸パターンを有してもよい。
【００４４】
また、光学部材５００は、複数の層にしてもよく、凹凸パターンは最上層またはいずれか一層の表面に形成されてもよい。そして、凹凸パターンは、光源グループ２１０に沿って配置される縞（ｓｔｒｉｐｅ）状にしてもよい。
【００４５】
ここで、凹凸パターンは、光学部材５００の表面に突出した部分を有し、突出した部分は、相対する第１面と第２面とから構成され、第１面と第２面との角は鈍角または鋭角でよい。
【００４６】
場合によって、光学部材５００は、少なくとも一枚のシートからなり、例えば、拡散シート、プリズムシート、輝度強化シートなどを選択的に含むことができる。光学部材５００についてのより詳細な説明は後述される。
【００４７】
パネルガイド６００は、液晶表示パネル７００を支持するためにボトムシャーシ１００の側面及び光学部材５００前面の縁部を覆うように配置され、光学部材５００を露出させる開口部を有する。
【００４８】
トップカバー（または、トップシャーシ（ｔｏｐ  ｃｈａｓｓｉｓ））８００は、ボトムカバー１００の側面部の外部面と接触する垂直部８００Ａ、及び垂直部８００Ａから内側に延長される上端縁部８００Ｂを含む。ここで、上端縁部８００Ｂの内側は、光学部材５００を露出させる開口部とされる。
【００４９】
一方、導光板４００は、ボトムカバー１００とリフレクタ３００の前面に配置され、光源グループ２１０から照射する光を受光して一定方向に導く。すなわち、導光板４００は、光源グループ２４２、２４４及び２４６から出光した線光源を面光源に変換して液晶表示パネル７００へ伝達する。
【００５０】
また、導光板４００は、図２に示すように、下部面に第１方向（ｚ）に形成された少なくとも１つの第１溝２５０を有することができる。ここで、第１溝２５０は、三角形、長方形、台形の断面形状を有することができる。場合によって、第１溝２５０が断面台形の場合、相対する第１及び第２側面のうち、第１溝２５０の第１側面は第１溝２５０の底面に垂直で、第１溝２５０の第２側面は第１溝２５０の底面に対して傾斜してもよい。
【００５１】
または、導光板４００の第１溝２５０が断面台形の場合、相対する第１及び第２側面は、第１溝２５０の底面に対して傾斜しており、かつ第１溝２５０の第１側面と底面との傾斜角は、第１溝２５０の第２側面と底面との傾斜角より小さくてもよい。
【００５２】
例えば、導光板４００の第１溝２５０が断面三角形の場合、相対しつつ頂点で会う第１及び第２側面のうち、第１溝２５０の第１側面は、導光板４００の上部面に対して平行な水平面に垂直で、かつ第１溝２５０の第２側面は、導光板４００の上部面に対して平行な水平面に対して傾斜してもよい。ここで、相対する第１及び第２側面間の角度は、約３０゜〜１２０゜でよい。
【００５３】
そして、導光板４００は透明な材質からなり、例えば、ＰＭＭＡ（Ｐｏｌｙｍｅｔｈｙｌｍｅｔｈａｃｒｙｌａｔｅ）のようなアクリル樹脂系、ＰＥＴ（ｐｏｌｙｅｔｈｙｌｅｎｅｔｅｒｅｐｈｔｈｌａｔｅ）、ＣＯＣ（Ｃｙｃｌｉｃ  Ｏｌｅｆｉｎ  Ｃｏｐｏｌｙｍｅｒｓ）、ＰＥＮ（ｐｏｌｙｅｔｈｙｌｅｎｅｎａｐｈｔｈａｌａｔｅ）、ＰＣ（Ｐｏｌｙｃａｒｂｏｎａｔｅ）、ＰＳ（Ｐｏｌｙｓｔｙｒｅｎｅ）、及びＭＳ（Ｍａｔｈａｃｙｌａｔｅｓｔｙｒｅｎｅ）樹脂のいずれか一つにすればよい。また、光の均一な反射のために、導光板４００の上面または下面に多数のドット（ｄｏｔ）やＶ字状溝（図示せず）を形成してもよい。
【００５４】
一方、本実施例によれば、導光板４００は、光の均一な反射のために、複数の光源グループの間の領域または各光源グループ内における複数の光源の間の領域と第２方向（ｘ）に重なる部分に、単数または複数個の第２溝を有することができる。第２溝は、光源グループまたは光源から発生する光の入光面に第２方向に形成される。
【００５５】
例えば、図３に示すように、複数の光源グループ２４２、２４４及び２４６の間の領域と第２方向（ｘ）に重なる導光板４００の入光面４０２に、第２溝４１２及び４１４を形成できる。
【００５６】
また、図８に示すように、光源グループ２４２Ｃ、２４４Ｃ及び２４６Ｃのそれぞれにおいて、複数の光源２１２が互いに離隔した領域と第２方向（ｘ）に重なる導光板４００の部分に、第２溝４４２、４４４及び４４６が単数または複数個形成されてもよい。
【００５７】
ここで、第２方向は、第１方向（ｚ）と異なる方向で、例えば、第１方向（ｚ）に垂直な方向（ｘ）とすることができる。また、第２方向は、光学部材５００に向かう方向（ｙ）に垂直でよい。
【００５８】
図３を参照すると、光源グループ２４２、２４４及び２４６のそれぞれは、複数の光源２１２及び回路基板２１４を含み、ブラケット２２０により支持される。
【００５９】
図４は、図３に示す２個の隣接する光源グループ２４２及び２４４を拡大した断面図である。同図には、光源グループ２４２及び２４４及び第２溝４１２のみを示すが、これらについての説明は、他の隣接する光源グループ２４４及び２４６と第２溝４１４にも同様に適用可能である。
【００６０】
図４を参照すると、第２溝４１２は、導光板４００の領域のうち、互いに隣接する２個の光源グループ２４２及び２４４の間の領域と第２方向（ｘ）に重なる部分Ａ１またはＡ２に形成される。これと同様に、第２溝４１４は、互いに隣接する２個の光源グループ２４４及び２４６の間の領域と第２方向（ｘ）に重なる導光板４００の入光面４０２に形成される。
【００６１】
本実施例によれば、第２溝４１２を、光源グループ２４２の左側端に配置されている光源２１２Ｌと光源グループ２４４の右側端に配置されている光源２１２Ｒとの間の領域と第２方向（ｘ）に重なる部分Ａ１に形成できる。
【００６２】
または、第２溝４１２は、光源グループ２４２の回路基板214と光源グループ２４４の回路基板214との間の領域と第２方向（ｘ）に重なる部分Ａ２に形成されてもよい。
【００６３】
ここで、光源グループ２４２、２４４及び２４６、または各光源グループ２４２、２４４または２４６に含まれた光源２１２は、第２溝４１２及び４１４と垂直方向に重ならない。ここで、垂直方向とは、各光源２１２の中心から導光板４００の入光面４０２に垂直な第２方向（ｘ）を意味する。すなわち、第１溝２５０の領域において、第２溝４１２及び４１４と第２方向（ｘ）に重なる領域には、光源２１２及び光源グループ２４２、２４４及び２４６が存在しない。
【００６４】
図４を参照すると、互いに隣接する光源グループ２４２及び２４４の側端部に配置されている光源２１２Ｌ及び２１２Ｒから発生する光は、導光板４００に形成された第２溝４１２から反射され、光の経路４０３及び４０５が直進性を有することとなる。同様に、互いに離隔した光源グループ２４４及び２４６の側端部に配置されている光源２１２から発生する光は、導光板４００に形成された第２溝４１４から反射され、光の経路が直進性を有することとなる。
【００６５】
本実施例によれば、複数の光源グループ２４２、２４４及び２４６を、互いに所定距離を置いて配置できる。ここで、光源グループ２４２、２４４及び２４６が互いに離隔する所定距離とは、隣り合う光源グループ（２４２及び２４４）または（２４４及び２４６）のそれぞれに含まれた光源のうち、側端部に配置されている光源間の距離ｄ１１に設定してもよく、光源グループ（２４２及び２４４）または（２４４及び２４６）に含まれた基板間の距離ｄ１２に設定してもよい。
【００６６】
例えば、図３及び図４に示す光源グループ２４２及び２４４間の離隔距離ｄ１１またはｄ１２は、５．３７５ｍｍに設定でき、第２溝４１２の幅ｗは５．３７５ｍｍ以下の値に設定できる。また、図３に示す光源グループ２４４及び２４６間の離隔距離ｄ１１またはｄ１２は、５．３７５ｍｍに設定でき、第２溝４１４の幅ｗは、５．３７５ｍｍ以下の値に設定できる。
【００６７】
また、本実施例によれば、第２溝４１２または４１４の幅ｗ対深さｄ２の比は、３：１〜２：１でよい。
【００６８】
また、第２溝４１２または４１４の中心角θ１は、３０゜以下に設定すればよい。
【００６９】
上述したように、導光板４００に形成される第２溝４１２、４１４は、隣接する光源グループ（２４２及び２４４）または（２４４及び２４６）から入射する光を效率的に集光する。すなわち、互いに隣接し且つ離隔している２個の光源グループ（２４２及び２４４）または（２４４及び２４６）の側端部に配置されている光源から入射する光を第２溝４１２及び４１４で反射することで、互いに離隔している光源グループ（２４２及び２４４）または（２４４及び２４６）から入射する光が均一でないことから生じるホットスポット領域及び暗部領域を減少させることができる。
【００７０】
図５は、他の実施例に係るバックライトユニットを、図２に示すＣから視た部分平面図である。導光板４００における該当する部分Ａ１またはＡ２に複数の第２溝が形成される以外は、図５に示すバックライトユニットは、図３に示すバックライトユニットと同様に構成される。
【００７１】
図５を参照すると、導光板４００において、隣接する光源グループ２４２及び２４４間の領域と第２方向（ｘ）に重なる部分Ａ１またはＡ２に、複数個の第２溝４２２及び４２４を形成できる。
【００７２】
すなわち、導光板４００において、光源グループ２４２の左側端に配置されている光源２１２Ｌと光源グループ２４４の右側端に配置されている光源２１２Ｒとの間の領域と第２方向（ｘ）に重なる部分Ａ１に、複数の第２溝４２２及び４２４が形成されてもよく、導光板４００において、光源グループ２４２の回路基板２１４と光源グループ２４４の回路基板２１４との間の領域と第２方向（ｘ）に重なる部分Ａ２に、複数の第２溝４２２及び４２４が形成されてもよい。
【００７３】
また、互いに隣接する光源グループ２４４及び２４６間の領域と第２方向（ｘ）に重なる部分Ａ１またはＡ２に、複数個の第２溝４３２及び４３４を形成できる。図５では、導光板４００において該当する部分Ａ１またはＡ２に２個の第２溝（４２２及び４２４）、（４３２及び４３４）が形成されるとしているが、本実施例はこれに限定されるものではなく、３個以上の第２溝が該当する部分Ａ１またはＡ２に形成されてもよい。
【００７４】
本実施例によれば、図５に示す第２溝（４２２及び４２４）または（４３２及び４３４）の中心角θ２及びθ３は、互いに同一であってもよく、異なってもよい。また、中心角θ２及びθ３は、中心角θ１と同一にしても、異なるようにしてもよい。
【００７５】
一方、光源グループ２１０のそれぞれにおける複数の光源または複数の光源グループは、領域別に分割駆動可能である。例えば、一つの光源グループに含まれた複数の光源がローカルディミング単位に区別され、ローカルディミング単位別に分割駆動されてもよい。また、離隔して実装された複数の光源グループが領域別に分割駆動されてもよい。
【００７６】
図６は、さらに他の実施例に係るバックライトユニットを、図２に示すＣから視た部分平面図である。
【００７７】
図６で、第１方向（ｚ）の複数の光源グループ２１０Ａを区別するために、光源グループ２１０Ａを、２４２Ａ、２４４Ａ及び２４６Ａの参照符号を付して示す。
【００７８】
図６を参照すると、光源グループ２１０Ａは、複数の光源２１２及び一つの回路基板２１４Ａを備える。具体的に、複数の光源グループ２４２Ａ、２４４Ａ及び２４６Ａは、単一の回路基板２１４Ａを備える。複数の光源２１２は、回路基板２１４Ａ上でローカルディミング単位別に区別でき、ローカルディミング単位別に分割駆動される。各ローカルディミング単位２４２Ａ、２４４Ａ及び２４６Ａは、所定距離ｄ３だけ離隔すればよい。
【００７９】
例えば、第２溝４１２は、導光板４００において互いに隣接するローカルディミング単位の光源グループ２４２Ａ及び２４４Ａのそれぞれの側端部に配置されている光源２１２Ｌと２１２Ｒとの間の領域と第２方向（ｘ）に重なる部分Ａ１に形成される。すなわち、導光板４００において、光源グループ２４２Ａの左側端に配置されている光源２１２Ｌと光源グループ２４４Ａの右側端に配置されている光源２１２Ｒとの間の領域と第２方向（ｘ）に重なる部分Ａ１に、第２溝４１２を形成できる。また、導光板４００において、光源グループ２４４Ａ及び２４６Ａのそれぞれの側端部に配置されている光源の間の領域と第２方向（ｘ）に重なる部分Ａ１に、他の第２溝４１４を形成できる。
【００８０】
図６に示す部分Ａ１に、図５に示すように、複数個の第２溝が形成されてもよいことは勿論である。
【００８１】
上述したように、複数の光源グループ２１０がローカルディミング単位別に分割駆動されるバックライトユニットにおいて、ホットスポット領域及び暗部領域が減少できることがわかる。
【００８２】
図７は、さらに他の実施例に係るバックライトユニットを、図２に示すＣから視た部分平面図である。
【００８３】
図７で、第１方向（ｚ）の複数の光源グループ２１０Ｂを区別するために、光源グループ２１０Ｂを、２４２Ｂ、２４４Ｂ及び２４６Ｂの参照符号を付して示す。
【００８４】
図７を参照すると、光源グループ２１０Ｂは、複数の光源２１２及び一つのサブ回路基板２１４Ｂを備える。すなわち、複数の光源グループ２４２Ｂ、２４４Ｂ及び２４６Ｂのそれぞれは、サブ（ｓｕｂ）回路基板２１４Ｂ及び複数の光源２１２を備えることができる。ここで、複数のサブ回路基板２１４Ｂは、一つのメイン（ｍａｉｎ）回路基板２１６上に形成され、各サブ回路基板２１４Ｂの上部に複数の光源２１２が形成される。
【００８５】
この場合、第２溝４１２及び４１４は、隣接する光源グループ（２４２Ｂ及び２４４Ｂ）及び（２４４Ｂ及び２４６Ｂ）間の領域と第２方向（ｘ）に重なる導光板４００における部分Ａ１またはＡ２に形成される。
【００８６】
すなわち、導光板４００において、光源グループ２４２Ｂのサブ回路基板２１４Ｂの左側端に配置されている光源２１２Ｌと光源グループ２４４Ｂのサブ回路基板２１４Ｂの右側端に配置されている光源２１２Ｒとの間の領域と第２方向（ｘ）に重なる部分Ａ１に、第２溝４１２を形成できる。また、光源グループ２４４Ｂの左側端に配置されている光源と光源グループ２４６Ｂの右側端に配置されている光源との間の領域と第２方向（ｘ）に重なる導光板４００の部分に、第２溝４１４を形成できる。
【００８７】
または、導光板４００において、光源グループ２４２Ｂのサブ基板２１４Ｂと光源グループ２４４Ｂのサブ基板２１４Ｂとの間の領域と第２方向（ｘ）に重なる部分Ａ２に、第２溝４１２が形成されてもよい。また、光源グループ２４４Ｂのサブ基板２１４Ｂと光源グループ２４６Ｂのサブ基板２１４Ｂとの間の領域と第２方向（ｘ）に重なる部分Ａ２に、第２溝４１４が形成されてもよい。
【００８８】
図８は、さらに他の実施例に係るバックライトユニットを、図２に示すＣから視た部分平面図である。光源グループ２４２Ｃ、２４４Ｃ及び２４６Ｃのそれぞれにおいて、隣接する光源２５０及び２５２間の距離が異なり、導光板４００の該当する部分Ａ３に複数の第２溝４４２、４４４及び４４６がさらに形成される以外は、図８に示すバックライトユニットは、図３に示すバックライトユニットと同様に構成される。
【００８９】
図８で、第１方向（ｚ）に沿う複数の光源グループ２１０を区別するために、光源グループ２１０Ｃを、２４２Ｃ、２４４Ｃ及び２４６Ｃの参照符号を付して示す。
【００９０】
図８を参照すると、光源グループ２１０Ｃは、複数の光源２１２Ａと一つの回路基板２１４で構成される。すなわち、光源グループ２４２Ｃ、２４４Ｃ及び２４６Ｃのそれぞれは、複数の光源２１２Ａと一つの回路基板２１４を備える。
【００９１】
図３乃至図７に示す各光源グループにおいて、複数の光源同士間の離隔距離に比べて、図８に示す各光源グループ２４２Ｃ、２４４Ｃまたは２４６Ｃにおける複数の光源２５０及び２５２間の離隔距離ｄ４がより大きい。
【００９２】
この場合、光源グループ同士（２４２Ｃ及び２４４Ｃ）または（２４４Ｃ及び２４６Ｃ）間の領域と第２方向（ｘ）に重なる領域Ａ１またはＡ２に、第２溝４１２及び４１４が形成される他、光源グループ２４２Ｃ、２４４Ｃ及び２４６Ｃのそれぞれにおいて、複数の光源２５０及び２５２の間の領域と第２方向（ｘ）に重なる領域にも第２溝４４２、４４４及び４４６が形成される。
【００９３】
また、図８に示す導光板４００の領域Ａ１またはＡ２に、図５に示すように、複数個の第２溝が形成されてもよい。
【００９４】
また、図８に示す導光板４００の領域Ａ３に複数個の第２溝が形成されてもよい。
【００９５】
実施例によれば、図８に示す第２溝４４２、４４４及び４４６の中心角θ４は、中心角θ１、θ２、θ３と異なっても同一であってもよい。
【００９６】
また、各グループ２４２Ｃ、２４４Ｃ及び２４６Ｃの回路基板２１４を、図６に示すように、一体型にする場合、第２溝４１２及び４１４は、導光板４００において互いに隣接するローカルディミング単位の光源グループ２４２Ｃ、２４４Ｃ及び２４６Ｃの間の領域と第２方向（ｘ）に重なる導光板４００の部分に形成すればよい。
【００９７】
このように、複数の光源間の離隔距離ｄ４が大きい場合であっても、第２溝４４２、４４４及び４４６が導光板４００に形成されるため、ホットスポット及び暗部が発生することを防止できる。
【００９８】
図９（ａ）乃至９（ｃ）は、実施例に係る導光板４００の入光面４０２に形成される第２溝の種々の断面形状を示す図である。
【００９９】
実施例によれば、導光板４００の入光面４０２に形成される第２溝４１２、４１４、４２２、４２４、４３２、４３４、４４２、４４４、４４６の形状は、図３乃至図８に示すように、三角形でもよいが、これに制限されない。
【０１００】
他の実施例によれば、第２溝４１２、４１４、４２２、４２４、４３２、４３４、４４２、４４４、４４６は、図９（ａ）に示すように、台形であってもよく、図９（ｃ）に示すように、楕円形であってもよい。その他、第２溝４１２、４１４、４２２、４２４、４３２、４３４、４４２、４４４、４４６は、長方形や菱形を含め、多角形の断面形状にしてもよい。
【０１０１】
また、第２溝４１２、４１４、４２２、４２４、４３２、４３４、４４２、４４４、４４６は、入光面４０２から傾斜して形成され、所定の曲率を有する少なくとも１つの傾斜面を有する形状にしてもよい。例えば、図９（ｂ）及び図９（ｃ）に示すように、第２溝４１２、４１４、４２２、４２４、４３２、４３４、４４２、４４４、４４６は、変曲点Ｐを中心に互いに隣接する２個の第１及び第２傾斜面Ｐ１及びＰ２を有することができる。
【０１０２】
実施例によれば、第１傾斜面Ｐ１と第２傾斜面Ｐ２は、第２溝４１２、４１４、４２２、４２４、４３２、４３４、４４２、４４４、４４６の内側に凹むような形状（図９（ｂ））にしてもよく、膨らむような形状（図９（ｃ））にしてもよい。
【０１０３】
また、第１傾斜面Ｐ１と第２傾斜面Ｐ２は、複数の光源２１２、特に各光源グループの右側端及び左側端に配置されている光源２１２Ｒ、２１２Ｌから照射される光が第２方向（ｘ）に屈折するのに適した曲率をそれぞれ有する。
【０１０４】
また、第２溝４１２、４１４、４２２、４２４、４３２、４３４、４４２、４４４、４４６の形状を円形にした場合、複数の光源２１２、特に、各光源グループの右側端及び左側端に配置されている光源２１２Ｒ、２１２Ｌから照射される光が、第２方向（ｘ）に屈折するのに適した半径を有する。
【０１０５】
図１０は、本発明の一実施例に係る図２に示すバックライトユニット全体を示す平面図である。
【０１０６】
図１０を参照すると、本実施例のバックライトユニットは、ボトムカバー１００、互いに離隔して配置される複数の光源グループ２４２、２４４及び２４６、及び導光板４００を備える。導光板４００は、第１溝２５０、及び第２溝４１２及び４１４を有する。
【０１０７】
ここで、第１溝２５０には複数の光源グループ２４２、２４４及び２４６が含まれ、第１溝２５０は第１方向（ｚ）に形成される。また、第２溝４１２及び４１４は、光源グループ２４２、２４４及び２４６から発生する光の入射面４０２に形成される。すなわち、隣接する光源グループ（２４２及び２４４）または（２４４及び２４６）間の領域と第２方向（ｘ）に重なる部分に、第２溝４１２及び４１４が形成される。
【０１０８】
図１１は、本発明の一実施例に係るディスプレイ装置を示す図である。
【０１０９】
図１１に示すバックライトユニット７１０におけるボトムカバー１００、リフレクタ３００、導光板４００、光学部材５００及びパネルガイド６００は、図２に示す各部と同一であるため、その詳細についての説明は省略する。特に、図１１に含まれた導光板４００は、上述した第２溝を有する。
【０１１０】
図１１に示す液晶表示パネル７００は、光学部材５００の上部または前面に配置され、パネルガイド６００により支持される。液晶表示パネル７００は、ガラス基板の間に液晶が挟まれており、光の偏光性を用いるために偏光板を両ガラス基板に載せた構成とされている。ここで、液晶は、液体と固体との中間特性を有し、液体のように流動性を有する有機分子である液晶が、結晶のように規則的に配列されている状態のもので、分子配列が外部電界によって変化する性質を用いて画像を表示する。液晶表示パネル７００の前面にはカラーフィルタ（図示せず）を設けることができる。
【０１１１】
光学部材５００は、導光板４００から入射する光を拡散させる拡散シート５０２、及び拡散シート５０２から入射する光を垂直に出射するように変化させて発光領域に導くプリズムシート５０４を備えることができる。このような拡散シート５０２とプリズムシート５０４は、２乃至３枚を適宜組み合わせて形成すればよく、組み合わせる順序は限定されない。例えば、光学部材５００は、拡散シート５０２とプリズムシート５０４のみで構成されてもよい。また、実施例によって、他の機能性シートが光学部材５００にさらに設けられてもよい。例えば、導光板４００と光学部材５００との間に拡散プレートが挿入されてもよい。
【０１１２】
また、光学部材５００は、拡散シート５０２やプリズムシート５０４上に配置される保護シート５０６をさらに備えることができる。保護シート５０６は、塵埃や傷（ｓｃｒａｔｃｈ）に敏感な拡散シート５０２及びプリズムシート５０４を保護し、バックライトユニットを運搬する際に拡散シート５０２及びプリズムシート５０４の移動を防止する役割を担う。
【０１１３】
以上では実施例を中心に説明してきたが、それらは単なる例示で、本発明を限定するためのものではない。したがって、本発明の属する分野における通常の知識を有する者には、本実施例の本質的な特性を逸脱しない範囲で、以上に例示していない種々の変形及び応用が可能であるということが理解されるであろう。例えば、実施例に具体的に示した各構成要素を変形して実施することができる。なお、それらの変形及び応用も、添付の請求の範囲で規定する本発明の範囲に含まれるものとして解釈すべきである。
【図１】
2013033709.tif 000003
【図２】
2013033709.tif 000004
【図３】
2013033709.tif 000005
【図４】
2013033709.tif 000006
【図５】
2013033709.tif 000007
【図６】
2013033709.tif 000008
【図７】
2013033709.tif 000009
【図８】
2013033709.tif 000010
【図９】
2013033709.tif 000011
【図１０】
2013033709.tif 000012
【図１１】
2013033709.tif 000013